(57)【要約】【課題】シリンジの脱着が不要で操作を容易に行うことができるとともにシリンジのシリンダーとピストンの離脱を無くすことができ、また血液が外に噴出することを無くすことができるレベル調整体及びドリップチャンバーを提供すること。【解決手段】可撓性で且つ密封した筒状または球状または楕円状に形成したレベル調整体（２）。全体をジャバラ状に形成したレベル調整体（２Ａ）。体外循環回路（１）に装着するドリップチャンバー（３）において、該ドリップチャンバー（３）の天面にレベル調整ライン（７）を介して前記記載のレベル調整体（２、２Ａ）を装着したドリップチャンバー（３）。【選択図】図１
2004267672.tif 000002
【特許請求の範囲】
【請求項１】
可撓性で且つ密封した筒状または球状または楕円状に形成したことを特徴とするレベル調整体（２）。
【請求項２】
全体をジャバラ状に形成したことを特徴とするレベル調整体（２Ａ）。
【請求項３】
体外循環回路（１）に装着するドリップチャンバー（３）において、該ドリップチャンバー（３）の天面にレベル調整ライン（７）を介して前記請求項１ないし２に記載のレベル調整体（２、２Ａ）を装着したことを特徴とするドリップチャンバー（３）。
【請求項４】
前記請求項３に記載したドリップチャンバー（３）を装着したことを特徴とする体外循環回路（１）。
【発明の詳細な説明】
【０００１】
【発明の属する技術分野】
例えば血液透析の体外循環回路に装着するドリップチャンバーの改良に関する。
【０００２】
【従来の技術及び発明が解決しようとする課題】
例えば特許文献１では、ドリップチャンバーの天面にフィルターを介して圧力モニターラインを接続し、該圧力モニターラインの途中にＴ字状の接続部材を介してレベル調整ラインを装着し、前記圧力モニターラインの末端に圧力計を接続している。
前記圧力計の値が基準値より上下した時、前記レベル調整ラインの端部にシリンジを接続して、このレベル調整ラインに装着したクランプを開閉してシリンジでドリップチャンバー内の血液レベルの調整を行う。前記シリンジはその都度着脱しなければならなく手間取っていた。またレベル調整ラインの端部に直接シリンジを装着しても、血液レベル調整時にシリンダーとピストンの離脱が懸念され、シリンダーが抜けると血液が噴出してしまう虞がある。
【０００３】
また特許文献２では、体外循環回路のチャンバーに血液レベルを監視する監視レベル検出器と制御ユニットを装着し、前記チャンバー内の血液レベルが基準値から外れた場合、前記チャンバーに接続したポンプにより血液レベルを基準内に保つよう調整されている。この場合各設備が必要でコスト高となる。またこれらを配置するスペースも必要となってくる。
そこで本発明者らは以上の課題を解決する為に、鋭意検討を重ねた結果次の発明に到達した。
【０００４】
【特許文献１】
実公昭６４−９３８号公報（第１図、第２図、２頁）
【０００５】
【特許文献２】
特許第３１７９５５０号公報（第１図、［０００７］、［０００８］、［０００９］）
【０００６】
【課題を解決する為の手段】
［１］本発明は、可撓性で且つ密封した筒状または球状または楕円状に形成したレベル調整体（２）を提供する。
［２］本発明は、全体をジャバラ状に形成したレベル調整体（２Ａ）を提供する。
［３］本発明は、体外循環回路（１）に装着するドリップチャンバー（３）において、該ドリップチャンバー（３）の天面にレベル調整ライン（７）を介して前記［１］ないし［２］に記載のレベル調整体（２、２Ａ）を装着したドリップチャンバー（３）を提供する。
［４］本発明は、前記［３］に記載したドリップチャンバー（３）を装着した体外循環回路（１）を提供する。
【０００７】
【発明の実施の形態】
図１は体外循環回路１を構成する動脈側回路または静脈側回路のメインチューブ４の途中に装着されたドリップチャンバー３近傍の概略図である。
ドリップチャンバー３の上部にキャップ５が装着され、該キャップ５の天面にクランプ６を装着したレベル調整ライン７を接続し、端部に可撓性で且つ密封された筒状のレベル調整体２が装着されている。
前記キャップ５の天面に圧力モニターライン８を接続し、端部は透析装置（図示せず）の圧力モニター部分に接続している。
なおクランプ６は当初の組み立て時からレベル調整ライン７に装着しても良いし、使用時に後でレベル調整ライン７に装着しても良い。本発明でクランプ６とは、レベル調整ライン７に着脱可能であり、当該レベル調整ライン７を開閉できるものであれば何でも良く図１に例示したクランプの他にかん子等であっても良い。
【０００８】
［レベル調整体２］
本発明のレベル調整体２は図１で例示したように密封した筒状に形成されている。該レベル調整体２は外周を押圧すると元の形状に戻ることのできる可撓性材料から形成され。レベル調整体２内に血液が流入しても血液を吸収したり、血液に対して悪い影響を及ぼさない材料であれば何でも良い。
前記レベル調整体２の外周を押圧するとレベル調整ライン７を介して空気がチャンバー３に送り込まれ、上昇した血液レベルＬを下げることができる。
前記レベル調整体２の形状は筒状の他に球状または楕円状（ラグビーボール状）に形成し特に限定するものではない。
図２は本発明のレベル調整体２のその他の実施例を示すレベル調整体２Ａの概略図である。該レベル調整体２Ａは全体をジャバラ状に形成している。
全体をジャバラ状に形成することにより、レベル調整体２Ａのジャバラを長さ方向に収縮（押圧）または伸張して容積を変えることができるように形成されている。
前記レベル調整体２Ａの構成材料は、レベル調整体２のように可撓性の材料でなくても良い。要するにジャバラ状に形成することができ、ジャバラを長さ方向に収縮（押圧）または伸張することができ且つレベル調整体２と同様に例えばレベル調整体２Ａ内に血液が流入して吸収したり、血液に対して悪い影響を及ぼさない材料であれば何でも良い。
【０００９】
以下、レベル調整体２（２Ａ）を使用し、（１）上昇した液面レベルＬを下げる方法、（２）下がった液面レベルＬを上昇させる方法について説明する。
［レベル調整体２を使用し、（１）上昇した液面レベルＬを下げる方法］
閉鎖しているクランプ６を開放して、レベル調整体２の外周を押圧する。前記レベル調整体２を押圧した容積分の空気がレベル調整ライン７を経てチャンバー３内に送られるので上昇した血液レベルＬを所望の血液レベルＬに調整することができる。血液レベルＬを調整した後、前記クランプ６を閉鎖して、レベル調整を終了する。
［レベル調整体２を使用し、（２）下がった液面レベルＬを上昇させる方法］
前記（１）で上昇した液面レベルＬを下げて調整した後、前記レベル調整体２の外周は凹んだ状態にある。従って閉鎖しているクランプ６を開放することにより、凹んだ前記レベル調整体２が元の形状に戻ろうとする容積分の空気が吸引され、下がった液面レベルＬが上昇し所望の液面レベルＬに調整することができる。液面レベルＬを調整した後クランプ６を閉鎖して、レベル調整を終了する。
【００１０】
［レベル調整体２Ａを使用し、（１）上昇した液面レベルＬを下げる方法］
閉鎖しているクランプ６を開放してレベル調整体２Ａを長さ方向に収縮（押圧）すると、前記レベル調整体２と同様に圧縮（押圧）した容積分の空気がレベル調整ライン７を経てチャンバー３内に送られるので上昇した液面レベルＬを所望の液面レベルＬに調整することができる。
前記レベル調整２Ａは全体をジャバラ状に形成しているので、長さ方向に収縮（押圧）すると、レベル調整体２Ａの容積全体分の空気をチャンバー３内に送り込むことができる。
［レベル調整体２Ａを使用し、（２）下がった液面レベルＬを上昇させる方法］
前記レベル調整体２Ａで上昇したレベルを下げて調整した後、前記レベル調整体２Ａが長さ方向に収縮されている。従って閉鎖しているクランプ６を開放することにより、収縮した前記レベル調整体２が元の形状に戻ろうとする容積分の空気が吸引されるので、下がった液面レベルＬが上昇し所望の液面レベルＬに調整することができる。
なおレベル調整体２Ａは長さ方向に引き伸ばすことができるので、例えばレベル調整体２Ａが収縮（押圧）または伸張してない状態で、液面レベルＬが下がっている場合は、前記レベル調整体２Ａを長さ方向に伸張させて、容積を大きくすることができ、更に吸引することにより下がった液面レベルＬを上昇し所望の液面レベルＬに調整することができる。
【００１１】
前記レベル調整体２をチャンバー３に接続し、該チャンバー３を体外循環回路１に装着することができる。
【００１２】
【発明の作用効果】
▲１▼公知文献１と比較して、シリンジに替えてレベル調整体２（２Ａ）を装着することでシリンジの脱着が不要になり操作を容易に行うことができる。また前記シリンジのシリンダーとピストンの離脱を無くすことができる。最悪の場合レベル調整ライン２（２Ａ）内に留めておくことができ、血液が外に噴出することを無くすことができる。
▲２▼公知文献２と比較して、各設備の導入も必要とせずコストの削減となる。またこれらの設備を配置するスペースを無くすことができる。
【図面の簡単な説明】
【図１】本発明のレベル調整体２を装着したドリップチャンバー３近傍の概略図。
【図２】レベル調整体２のその他の実施例を示すレベル調整体２Ａの概略図。
【符号の説明】
１  体外循環回路
２、２Ａ  レベル調整体
３  ドリップチャンバー
４  メインチューブ
５  キャップ
６  クランプ
７  レベル調整ライン
８  圧力モニターライン
Ｌ  液面レベル
【図１】
2004267672.tif 000003
【図２】
2004267672.tif 000004